(57)【要約】【課題】コネクタカバーを拡縮できる形状としながら、コネクタカバーと電線とを結合するテープ等の結合力を強くし、コネクタカバーが外れないようにする。【解決手段】ワイヤハーネスの電線の端末に接続された端子を挿入係止する１または複数個のコネクタに被せて取り付けるコネクタカバーであって、軟質樹脂からなる可撓性を有する樹脂成形品であり、前記コネクタに装着される大径のコネクタ収容筒部と、該コネクタ収容筒部の一端側の縮径筒部と、該縮径筒部の最小径の先端に連続させて前記コネクタに接続する電線群に密着させて被せる小径の電線密着筒部とからなり、前記コネクタ収容筒部、前記縮径筒部および電線密着筒部の軸線方向の全長にわたって連続する１個または２個の内方へＶ字状に屈曲させて折り返した襞部を設け、前記コネクタ収容筒部、縮径筒部および電線密着筒部の夫々の内面から突出する各襞部の突出量は、それぞれ少なくとも軸心位置に達する長さとしている。【選択図】図３
2009158402.tif 000002
【特許請求の範囲】
【請求項１】
ワイヤハーネスの電線の端末に接続された端子を挿入係止する１または複数個のコネクタに被せて取り付けるコネクタカバーであって、
軟質樹脂からなる可撓性を有する樹脂成形品であり、前記コネクタに装着される大径のコネクタ収容筒部と、該コネクタ収容筒部の一端側の縮径筒部と、該縮径筒部の最小径の先端に連続させて前記コネクタに接続する電線群に密着させて被せる小径の電線密着筒部とからなり、
前記コネクタ収容筒部、前記縮径筒部および電線密着筒部の軸線方向の全長にわたって連続する１個または２個の内方へＶ字状に屈曲させて折り返した襞部を設けており、
前記コネクタ収容筒部、縮径筒部および電線密着筒部の夫々の内面から突出する各襞部の突出量は、それぞれ少なくとも軸心位置に達する長さとし、
前記電線密着筒部の外周面は、該電線密着筒部から導出する前記電線とテープ巻き又はバンド締めする結合面となり、該結合面となる電線密着筒部の外周面には前記襞部を外方に突出させずに円形状としていることを特徴とするコネクタカバー。
【請求項２】
前記各襞部を広げて、前記各筒部の外周面と連続した円形状にした状態で、前記各筒部の断面積が１．５倍〜３倍増大する設定としている請求項１に記載のコネクタカバー。
【請求項３】
請求項１または請求項２に記載のコネクタカバーの取付構造であって、
前記コネクタ収容筒部では前記襞部を広げて前記コネクタに被せ、前記縮径筒部の前記襞部は前記コネクタに接続する電線群の根元部の隙間に突出させ、前記電線密着筒部の前記襞部は前記電線群の隙間に折り畳んだ状態で突出して、該電線密着筒部の外面を円形状に保持し、該円形状の電線密着筒部の外周面と電線群との間をテープ巻きで結合し、または締結バンドで結合していることを特徴とするコネクタカバーの取付構造。
【請求項４】
請求項１または請求項２に記載のコネクタカバーの取付方法であって、
電線端末にコネクタを取り付けた第１電線群を、前記コネクタカバーの電線密着筒部側から挿入し、前記コネクタをコネクタ収容筒部内に位置させ、
ついで、電線端末にコネクタを取り付けた第２電線群を前記コネクタカバーの電線密着筒部側から挿入し、前記コネクタをコネクタ収容筒部内に位置させ、
所要本数の電線群を前記コネクタカバーに挿通した後、
前記電線密着筒部の襞部を外周面より突出しないように内周側に押し込み、円形とした電線密着筒部の外周面と、該電線密着筒部の先端より引き出される前記電線群の外周面にかけてテープを巻き付けて結束していることを特徴とするコネクタカバーの取付方法。
【発明の詳細な説明】
【技術分野】
【０００１】
本発明は、コネクタカバーおよび該コネクタカバーの取付方法に関し、詳しくは、自動車や二輪車に配索されるワイヤハーネスの電線端末に接続されたコネクタに対して、電線端末側からコネクタに被せるコネクタカバーおよびその取付方法に関するものである。
【背景技術】
【０００２】
自動車のエンジンルームや二輪車に配索されるワイヤハーネスには、該ワイヤハーネスを構成する電線群の端末に接続したコネクタに、該コネクタの端子挿入用キャビティに挿入するため分岐させる電線群のコネクタ根元位置側からコネクタのハウジング外面にかけてコネクタカバーを被せて、防塵および安全対策を図ると共にコネクタへの浸水防止を図っている。
【０００３】
この種のコネクタカバーとしては、本出願人は先に特開２００５−９３０９１号公報において、図７に示すコネクタカバー１を提供している。該コネクタカバーは薄肉の軟質樹脂からなる一体成形品で、コネクタに装着される大径のコネクタ装着部２と、電線のコネクタ根元付近の外周に装着される小径の電線装着部３と、該電線装着部３とコネクタ装着部２とを連続的に連結する縮径筒部４と備え、コネクタ装着部２の一端から電線装着部３の他端にかけて、軸線方向の全長にかけて周方向に間隔をあけてプリーツ５を８個程度多数設けている。これらのプリーツ５が外方へ２つ折りして山部を突出させた形状とし、プリーツ５の外方突出量は電線装着部３よりコネクタ装着部２で大とし、かつ、山部に挟まれた谷部６の幅は電線装着部３よりコネクタ装着部で広幅としている。
【０００４】
【特許文献１】特開２００５−９３０９１号公報
【発明の開示】
【発明が解決しようとする課題】
【０００５】
特許文献１のコネクタカバーでは、プリーツ５を設けていることにより、電線本数の増減およびコネクタサイズの相違に対応することができる利点を有している。しかしながら、該コネクタカバーを電線群およびコネクタに被せた状態で組み立てた後に、自動車組み立てラインへ搬送する必要があり、その際、コネクタカバー１が外れないように電線群に固着しておく必要がある。よって、電線装着部３から引き出される電線群Ｗと電線装着部２の外周面にかけてテープが巻き付けられる。
該巻き付けられたテープは、電線装着部３の外周面にプリーツ５が突設しているため、プリーツ５の先端面５ａに密着し、谷部６にはテープが密着せず、テープによる固着力が弱くなり、電線装着部３の内周面を電線群の外周面に隙間なく密着できず、防塵性能および止水性能が低下しやすい。かつ、多種類のコネクタサイズや電線本数の増減に対応するため、拡縮率を大とすると、プリーツ５の突出量を多くし、あるいはプリーツ５を密に設ける必要があり、プリーツ５によりコネクタカバー１は容易に広がるため、テープが外れやすいと、コネクタカバー自体が搬送時等に電線群およびコネクタから離脱しやすい問題がある。
【０００６】
特に、複数個のコネクタを１つのコネクタカバー内に収容し、かつ、各コネクタを接続した電線をコネクタ側から電線装着部３を通して後入れ挿入する場合、電線装着部３の拡径率を大きくしておく必要がある。一方、電線群を全て挿通した後に電線装着部３を電線群に密着させて防塵および防水を図る必要があるため、電線装着部３における前記プリーツ５は、前記のように、その突出量を大きくするか、プリーツ５を周方向に密に突設する必要がある。よって、プリーツ５の突出端にだけ密着するテープの固着力は更に低下し、より外れやすくなる。これらの点より、特許文献１のコネクタカバーを改良する必要がある。
【０００７】
本発明は前記問題に鑑みてなされたもので、拡縮機能を持たせるプリーツにより、テープ巻きの時のテープの密着力が弱くなり、外れやすくなる問題を解消することを課題としている。
【課題を解決するための手段】
【０００８】
前記課題を解決するため、第一の発明として、ワイヤハーネスの電線の端末に接続された端子を挿入係止する１または複数個のコネクタに被せて取り付けるコネクタカバーであって、
軟質樹脂からなる可撓性を有する樹脂成形品であり、前記コネクタに装着される大径のコネクタ収容筒部と、該コネクタ収容筒部の一端側の縮径筒部と、該縮径筒部の最小径の先端に連続させて前記コネクタに接続する電線群に密着させて被せる小径の電線密着筒部とからなり、
前記コネクタ収容筒部、前記縮径筒部および電線密着筒部の軸線方向の全長にわたって連続する１個または２個の内方へＶ字状に屈曲させて折り返した襞部を設けており、
前記コネクタ収容筒部、縮径筒部および電線密着筒部の夫々の内面から突出する各襞部の突出量は、それぞれ少なくとも軸心位置に達する長さとし、
前記電線密着筒部の外周面は、該電線密着筒部から導出する前記電線とテープ巻き又はバンド締めする結合面となり、該結合面となる電線密着筒部の外周面には前記襞部を外方に突出させずに円形状としていることを特徴とするコネクタカバーを提供している。
【０００９】
本発明のコネクタカバーでは、特許文献１では外方へ多数突出していたプリーツの代わりに、１個または２個の内方にＶ字状に屈曲させて折り返した襞部を設けている。これにより、電線群を挿通した後に電線群に密着させる前記電線密着筒部には内方に前記襞部は突出するが、外周面への突出はなく、外周面は平坦は円弧面となる。よって、該電線密着筒部から電線群にかけてテープ巻きをする場合、テープを電線密着筒部の外周面全体に密着させることができ、強固に電線群と結合でき、外れやすくなる問題を解消できる。テープ巻にかえてバンド締めした場合においても、バンドは全面にわたって電線密着筒部の外周面と密着し、結合力を強くできる。
【００１０】
かつ、前記襞部を１または２個として少数としているため、拡径率を大きくするため、これら襞部の突出量は、少なくとも軸心位置に達する長さとして、特許文献１のプリーツよりも折り返し量を多くしている。
【００１１】
前記各襞部を広げて、前記各筒部の外周面と連続した円弧面を形成した状態で、前記各筒部の断面積が１．５倍〜３倍増大する設定としていることが好ましい。
本発明では、内方に突出する前記襞部を少なくとも軸心位置に達する長さとしているため、該襞部が１個または２個であっても、最大に拡大させた断面積を前記のように１．５倍〜３倍とすることができる。
これにより、コネクタカバーへのコネクタおよび電線群の挿通作業性を高めることができると共に、多様はサイズのコネクタに対応できると共に電線本数の大幅な増減にも対応でき、汎用性の高いコネクタカバーとすることができる。
【００１２】
本発明は、第二の発明として、前記コネクタカバーの取付構造を提供しており、
前記コネクタ収容筒部では前記襞部を広げて前記コネクタに被せ、前記縮径筒部の前記襞部は前記コネクタに接続する電線群の根元部の隙間に突出させ、前記電線密着筒部の前記襞部は前記電線群の隙間に折り畳んだ状態で突出して、該電線密着筒部の外面を円形状に保持し、該円形状の電線密着筒部の外周面と電線群との間をテープ巻きで結合し、または締結バンドで結合していることを特徴とする。
【００１３】
前記電線密着筒部の内周面から突設した襞部は、折り畳んだ状態で電線群の隙間に突出し、電線群の隙間を減少させ、その外周面に巻き付けたテープまたはバンドにより、電線密着筒部の内周面と電線群の外周面および電線群間の隙間を無くして、安全対策を図ることができると共に、防塵性能および防水性能を高めることができる。
さらに、縮径筒部の内面から突出する襞部は、コネクタに接続する電線群の分岐した根元部の隙間に突出し、電線間の隙間を減少して、電線をガタつき無く保持できる機能を有する。
さらにまた、コネクタの外周面に被せるコネクタ収容筒部においても、該コネクタ収容筒部の全周にプリーツを設けずに、１または２個の襞部を設けているだけであるため、平坦な内周面となる部分が多く、コネクタのハウジング外周面に密着させやすくなり、この点からも防塵性能および防水性能を高めることができる。
【００１４】
特に、本発明のコネクタカバーは、前記コネクタ収容筒部は、複数のコネクタに被せるものとし、該コネクタ収容筒部の内周面は前記複数のコネクタの外面に密着させていることが好ましい。
本発明のコネクタカバーは、コネクタを収容するコネクタ収容筒部およびコネクタに接続した電線群に密着させる電線密着筒部では、内方への突出量が大きい１個または２個の襞部を設けて拡大率を大きくしているため、複数のコネクタおよび、これらコネクタにそれぞれ接続した電線群に取り付けてカバーすることができる。
かつ、コネクタ側を電線密着筒部側から通して後付けする場合、コネクタは電線密着筒部を通るが、電線密着筒部に前記突出量が大きい襞部を設けていることで、電線密着筒部が拡径してコネクタをスムーズに通すことができる。
【００１５】
本発明のコネクタカバーは、ポリ塩化ビニル（ＰＶＣ）、あるいはエチレンプロピレンジエンゴム（ＥＰＤＭ）、ニトルブタジエンラバー（ＮＢＲ）から成形されており、かつ、その厚さは１．２ｍｍ〜１．８ｍｍ程度の薄肉とし、前記襞部が容易に変形できるようにしている。
【００１６】
さらに、本発明は前記コネクタカバーの取付方法を提供している。即ち、
電線端末にコネクタを取り付けた第１電線群を、前記コネクタカバーの電線密着筒部側から挿入し、前記コネクタをコネクタ収容筒部内に位置させ、
ついで、電線端末にコネクタを取り付けた第２電線群を前記コネクタカバーの電線密着筒部側から挿入し、前記コネクタをコネクタ収容筒部内に位置させ、
所要本数の電線群を前記コネクタカバーに挿通した後、
前記電線密着筒部の襞部を外周面より突出しないように内周側に押し込み、円形とした電線密着筒部の外周面と、該電線密着筒部の先端より引き出される前記電線群の外周面にかけてテープを巻き付けて結合していることを特徴とする。
【発明の効果】
【００１７】
前述したように、本発明のコネクタカバーは、コネクタ収容筒部、縮径筒部、電線密着筒部に、拡径用に内方に突出した１または２個の襞部を設け、電線密着筒部の外周面に襞部を突出させずに円弧面としていることにより、該電線密着筒部にテープを巻き付けて電線群と固定する際に、テープの全周を電線密着筒部の外周に密着させることができ、密着力を高めてコネクタカバーが電線およびコネクタから外れるのを確実に防止することができる。
また、前記襞部を少なくとも軸心位置まで突出させていることで、襞部の個数は１または２個と少なくしながら拡大率を多くすることができ、多様なサイズのコネクタや複数個のコネクタをコネクタ収容筒部内に収容できると共に、電線密着筒部内へのコネクタおよび電線群の通し作業を容易とすることができる等の種々の利点を有する。
【発明を実施するための最良の形態】
【００１８】
以下、本発明のコネクタカバーの実施形態を図面を参照して説明する。
図１乃至図４に第一実施形態のコネクタカバーを示す。
コネクタカバー１０は、図１に示すように、自動車に配索するワイヤハーネスＷ／Ｈを構成する第一電線群Ｗ１の端末に接続した第一コネクタ１１と、第二電線群Ｗ２の端末に接続した第二コネクタ１２の２個のコネクタに被せるものである。
本実施形態では、例えば、前記第一コネクタ１１を１２極コネクタとし、第一電線群Ｗ１の電線本数は１２本としている。一方、第二コネクタ１２は８極コネクタとし、第二電線群Ｗ２の電線本数は８本としている。
なお、本実施形態では、水のかかりやすい被水領域に配索しているワイヤハーネスのコネクタカバーとしている。
【００１９】
前記コネクタカバー１０はポリ塩化ビニル（ＰＶＣ）からなる射出成形品からなり、その肉厚は１．２ｍｍ〜１．８ｍｍの範囲の薄肉とし、容易に変形する可撓性を持たせている。
図２に示すように、コネクタカバー１０は、前記コネクタ１１、１２を収容する大径のコネクタ収容筒部２０と、該コネクタ収容筒部２０の一端側の縮径筒部２１と、該縮径筒部２１の最小径の先端に連続させて前記コネクタに接続する電線群Ｗ１、Ｗ２に密着させて被せる小径の電線密着筒部２２とを軸線方向に連続させている。前記コネクタ収容筒部２０の先端を開口２０ｈとすると共に、電線密着筒部２２の先端を開口２２ｈとして、これら筒部２０〜２２の中空部２０ａ、２１ａ、２２ａを連続している。
【００２０】
前記コネクタ収容筒部２０、縮径筒部２１および電線密着筒部２２は夫々軸線方向の断面を円形とし、外周面２０ｂ、２１ｂ、２２ｂを円弧面としている。
かつ、これらコネクタ収容筒部２０、縮径筒部２１および電線密着筒部２２には、軸線方向の全長にわたって連続する１個の内方へＶ字状に屈曲させて折り返した襞部２５を設けている。即ち、コネクタ収容筒部２０に襞部２５ａ、縮径筒部に襞部２５ｂ、電線密着筒部２２に襞部２５ｃを連続して設けている。
【００２１】
前記各コネクタ収容筒部２０、縮径筒部２１および電線密着筒部２２に設ける襞部２５（２５ａ、２５ｂ、２５ｃ）の内方への突出量Ｈは、それぞれの断面中心の軸心位置Ｏを越えて突出させ、該突出量は内径の約３／４程度としている。よって、該襞部２５が前記各筒部２０〜２２の外周面と連続した円弧面を形成するように最大に拡径した状態で、断面積は約２倍程度増加する設定としている。
【００２２】
図３に示すように、コネクタカバー１０内に第一コネクタ１１を端末に接続した第一電線群Ｗ１、第二コネクタ１２を端末に接続した第二電線Ｗ２を挿通させた状態で、第一、第二コネクタ１１、１２はコネクタ収容筒部２０で被覆され、これら第一、第二コネクタ１１、１２に接続される電線群Ｗ１、Ｗ２のコネクタ根元位置の部分は前記縮径筒部２１で被覆され、前記コネクタ根元位置に連続する第一、第二電線群Ｗ１、Ｗ２の多数本（２０本）の電線群ｗは電線密着筒部２２内で被覆される。
【００２３】
前記電線密着筒部２２では前記襞部２５ｃは折り畳まれた状態で内方へ突出し、電線密着筒部２２の外周面２２ｂは襞部２５ｃが突出していない円形面となっている。
内方に突出した襞部２５ｃは前記第一電線群Ｗ１の電線群と第二電線群Ｗ２の電線群との間に突出し、多数の電線を電線密着筒部２２の中空部２２ａ内に襞部２５ｃによって区画して略均等に分散して配置することができる。かつ、襞部２５ｃを介在させることで、襞部２５ｃの両側の第一、第二電線群Ｗ１，Ｗ２の電線群ｗを電線密着筒部２２の内周面と襞部２５ｃとの間に夫々隙間なく密集させている。
【００２４】
前記円形面となる電線密着筒部２２の外周面から、先端開口２２ｈより引き出される第一、第二電線群Ｗ１、Ｗ２の外周面にかけてテープ３０を巻き付けて、コネクタカバー１０と電線群Ｗ１、Ｗ２とを固着している。
前記テープ３０は、電線密着筒部２２の外周面が円形であるため、その粘着面となる内面側の全面を電線密着筒部２２の外周面に密着させて粘着させることができる。よって、密着面積を前記特許文献１よりも大幅に増加させることができ、このコネクタカバー１０が電線群Ｗ１、Ｗ２から外れること確実に防止できる。
【００２５】
縮径筒部２１では内方に突出する襞部２５ｂが、電線密着筒部２２と同様に、第一、第二コネクタ１１、１２に接続されるコネクタ首下位置の第一電線群Ｗ１と第二電線群Ｗ２との間に介在している。このように襞部２５ｂがコネクタ首下位置で電線群の間に介在することで、電線群のガタ付き発生を防止できる。
【００２６】
コネクタ収容筒部２０では、第一、第二コネクタ１１、１２を収容するため、襞部２５ａが開いた状態となって、第一、第二コネクタ１１、１２のハウジング外面に密着した状態で被覆している。
【００２７】
次ぎに、コネクタカバー１０をそれぞれ第一コネクタ１１を端末に接続した第一電線群Ｗ１、第二コネクタ１２を端末に接続した電線群Ｗ２に対する取付方法を図４（Ａ）〜（Ｃ）を参照して説明する。
【００２８】
まず、図４（Ａ）に示すように、第一コネクタ１１を取り付けた第１ワイヤハーネスを、コネクタカバー１０の電線密着筒部２２の先端開口２２ａから第一コネクタ１１を挿入し、該電線密着筒部２２、縮径筒部２１を通して第一コネクタ１１をコネクタ収容筒部２０内に位置させる。
前記第一コネクタ１１が電線密着筒部２２を挿通する際に、襞部２５ｃは開いて、断面積が増大するため、第一コネクタ１１を無理なく電線密着筒部２２に通すことができる。第一コネクタ１１が挿通して第一電線群Ｗ１が電線密着筒部２２に位置すると、襞部２５ｃは閉じた状態となり、前記第一電線群Ｗ１を襞部２５ｃの一側面側と電線密着筒部２２の一側内周面との間に保持する。
【００２９】
ついで、第二コネクタ１２を取り付けた第２ワイヤハーネスを、コネクタカバー１０の電線密着筒部２２の先端開口２２ａから第二コネクタ１２を挿入し、該電線密着筒部２２、縮径筒部２１を通して第二コネクタ１１をコネクタ収容筒部２０内に位置させる。
前記第二コネクタ１２が電線密着筒部２２を挿通する際に、再度、襞部２５ｃは開いて、断面積が増大し、前記第一電線群Ｗ１が保持されていない襞部２５ｃの他面側の空間を通して第二コネクタ１２を無理なく電線密着筒部２２に通すことができる。第二コネクタ１２が挿通して第二電線群Ｗ２が電線密着筒部２２に位置すると、襞部２５ｃは再度閉じた状態となり、前記第二電線群Ｗ２を襞部２５ｃの他面側と電線密着筒部２２の一側内周面との間に保持する。
【００３０】
このように、第一、第二コネクタ１１、１２を接続した第一、第二電線群Ｗ１、Ｗ２をコネクタカバー１０内に通した後に、図４（Ｃ）に示すように、襞部２５ｃが突出していない円形状の電線密着筒部２２の外周面から第一、第二電線群Ｗ１、Ｗ２の外周面にかけて、テープ３０を強い力で巻き付けていく。該テープ３０の巻き付け力で電線密着筒部２２の内周面を内部の第一、第二電線群Ｗ１、Ｗ２に押し付けて隙間のない状態とすると共に、電線密着筒部２２の先端の開口２２ｈを経て前記電線群Ｗ，Ｗ２の外周にテープ３０をハーフラップ巻きすることで、該開口２２ｈからの浸水発生を確実に防止できると共に防塵を図ることができる。
【００３１】
図５に第二実施形態を示す。
第二実施形態のコネクタカバー１０では、前記襞部２５（２５ａ、２５ｂ、２５ｃ）には２個の襞部２５−１、２５−２を設けている。これら２個の襞部２５ー１、２５−２は軸心位置まで突出し、突出状態で襞部２５−１、２５−２によって各筒部２０〜２２の中空部が２分割される状態になるようにしている。
該構成とすると、２個のコネクタに接続する電線本数が同数であると、前記襞部２５−１と２５−２とにより、電線が均等に電線密着筒部２２内に配置することができる。
また、襞部２５−１、２５−２と２個設けると、襞部２５−１、２５−２の開き時の断面積を大きくとることができ、大型コネクタの電線密着筒部２２での通し作業をよりスムーズに行うことができる。
【００３２】
図６に第三実施形態を示す。
第三実施形態では、一つの大型コネクタ３３（例えば、１０極以上のコネクタ）をカバーする設定としている。
該大型コネクタ３３を電線密着筒部２２を通す時に襞部２５ｃを大きく開くことで、スムーズに通し作業を行うことができ、かつ、該大型コネクタ３３がコネクタ収容筒部２０に位置すると、該大型コネクタ３３を接続した電線群Ｗが電線密着筒部２２に位置するため、襞部２５ｃは閉じた状態となって内方へ突出で、電線群Ｗの隙間に介在する。
前記襞部２５ｃが外方に突出していない電線密着筒部２２の外周面に結束バンド３７を巻き付けて、コネクタカバー１０と電線群Ｗとをバンド締結で固定している。
該結束バンド３７を用いた場合も、該バンドの全周を電線密着筒部２２の外周面に密着させることができるため、締結力を強めることができる。
【産業上の利用可能性】
【００３３】
本発明のコネクタカバーは自動車および二輪車に配線するワイヤハーネス端末に装着する防塵用および安全対策用のコネクタカバーとして有効に用いることができる。特に、二輪車に配索するワイヤハーネス端末のコネクタカバーとしても用いると有効である。
【図面の簡単な説明】
【００３４】
【図１】本発明の第一実施形態のコネクタカバーを電線に装着した状態の斜視図である。
【図２】（Ａ）はコネクタカバーの軸線方向の断面図、（Ｂ）は軸線方向と直交方向の断面図である。
【図３】（Ａ）は図１のＡ−Ａ線断面図、（Ｂ）は図１のＢ−Ｂ線断面図、（Ｃ）は図１のＣ−Ｃ線断面図である。
【図４】（Ａ）〜（Ｃ）はコネクタカバーの取付工程を示す図面である。
【図５】第二実施形態を示す図面である。
【図６】第三実施形態を示す図面である。
【図７】従来例を示し、（Ａ）はコネクタカバーの斜視図、（Ｂ）はコネクタカバーをコネクタに装着した状態を示す図面である。
【符号の説明】
【００３５】
１０  コネクタカバー
１１  第一コネクタ
１２  第二コネクタ
２０  コネクタ収容筒部
２１  縮径筒部
２２  電線密着筒部
２５  襞部
３０  テープ
Ｗ１  第一電線群
Ｗ２  第二電線群
【図１】
2009158402.tif 000003
【図２】
2009158402.tif 000004
【図３】
2009158402.tif 000005
【図４】
2009158402.tif 000006
【図５】
2009158402.tif 000007
【図６】
2009158402.tif 000008
【図７】
2009158402.tif 000009